(57)【特許請求の範囲】
【請求項１】
遊技盤を覆うガラスと、このガラスを遊技盤の前面に支持するガラス枠とを備えて構成される弾球遊技機において、
前記ガラス枠は、遊技盤の前面にある前記ガラスの周縁部から遊技機本体の両側部にわたる領域に形成されて前記ガラスの周囲を囲むレンズと、前記領域を覆う領域に形成されて前記レンズを覆うレンズカバーとから構成されており、前記レンズの背後に光源が設けられていることを特徴とする弾球遊技機。
【請求項２】
前記レンズは着色され、前記レンズカバーは前記レンズの色を認識困難で前記光源が点灯すると前記レンズの色に染まる半透明色をしていることを特徴とする請求項１記載の弾球遊技機。
【請求項３】
前記レンズは複数色が境目無く連続的に変化して配色されており、前記レンズカバーは半透明の乳白色をしていることを特徴とする請求項２記載の弾球遊技機。
【請求項４】
前記レンズは、前記レンズカバーが被されることで前記レンズカバーに隠れる形状をしていることを特徴とする請求項３記載の弾球遊技機。
【請求項５】
前記遊技盤の周囲に位置する前記レンズカバーの内側面に沿って複数の窓が形成され、これら各窓の背後に光源を備えていることを特徴とする請求項１記載の弾球遊技機。
【請求項６】
前記レンズカバーの一表面を形成する部分カバーと、この部分カバーを背後から照らす発光量調整機構付きランプまたはパトランプとを備えていることを特徴とする請求項１記載の弾球遊技機。
【請求項７】
前記レンズカバーは所定色に着色された部材を一部に備えて形成されていることを特徴とする請求項２記載の弾球遊技機。
【請求項８】
遊技機の遊技状態に応じて点灯する表示装置が前記ガラス枠に設けられていることを特徴とする請求項１記載の弾球遊技機。
【請求項９】
前記レンズカバーおよび前記レンズのそれぞれに透音孔が形成され、前記遊技盤と電気的に接続された音源または煙を吸い込むファンを前記透音孔の背後に備えていることを特徴とする請求項１記載の弾球遊技機。
【発明の詳細な説明】
【０００１】
【発明の属する技術分野】
本発明は遊技盤を覆うガラスを支えるガラス枠に特徴を有する弾球遊技機に関するものである。
【０００２】
【従来の技術】
従来、この種の弾球遊技機としては、例えば、図５に示すパチンコ機１がある。パチンコ機１は木枠２にベースドア３が取り付けられて構成されており、ベースドア３の正面上部には遊技盤４が取り付けられている。遊技盤４には多数の障害釘や役物等が設けられている。この遊技盤４の前面周囲には内部レンズ５が取り付けられており、内部レンズ５の背後にはランプが設けられている。また、内部レンズ５の上部には表示装置６が設けられている。これらランプや表示装置６は、遊技盤４の処理動作を制御する制御回路に電気的に接続されており、パチンコ機１の遊技状態に応じて点灯する。例えば、大当たりの入賞が発生した時等にこれらランプや表示装置６は所定のパターンで点灯する。
【０００３】
また、ベースドア３の正面下部には遊技球を貯留する上皿７および下皿８が設けられており、下皿８の右方には操作ハンドル９が構成されている。操作ハンドル９が遊技者によって操作されると、上皿７に貯留された遊技球が発射される。発射された遊技球は、遊技盤４とその前面を覆うガラス１０との間に形成された空間内を通り、遊技盤４に植設された障害釘に弾かれながら盤面を流下する。このガラス１０はガラス枠１１によって遊技盤４の前面に支持されている。
【０００４】
【発明が解決しようとする課題】
しかしながら、上記従来のパチンコ機１は、図示するように、ガラス１０の背後に内部レンズ５が設けられ、内部レンズ５の背後に遊技盤４が設けられている。さらに、ガラス１０を支えるガラス枠１１や内部レンズ５，表示装置６等は、それら背後のベースドア３に取り付けられた構成になっている。すなわち、上記従来のパチンコ機１は各部材がこのように何層にもなって構成されている。このため、上記従来のパチンコ機１は構成が複雑となり、構成部品点数も多かった。また、見た目の一体感が無く、ランプ類の装飾もある程度決まった形になっていた。
【０００５】
【課題を解決するための手段】
本発明はこのような課題を解決するためになされたもので、遊技盤を覆うガラスと、このガラスを遊技盤の前面に支持するガラス枠とを備えて構成される弾球遊技機において、ガラス枠が、遊技盤の前面にあるガラスの周縁部から遊技機本体の両側部にわたる領域に形成されてガラスの周囲を囲むレンズと、前記領域を覆う領域に形成されてレンズを覆うレンズカバーとから構成されており、レンズの背後に光源が設けられていることを特徴とするものである。
【０００６】
また、上記レンズが着色され、上記レンズカバーが半透明色をしていることを特徴とするものである。
【０００７】
また、遊技盤の周囲に位置するレンズカバーの内側面に沿って複数の窓が形成され、これら各窓の背後に光源を備えていることを特徴とするものである。
【０００８】
また、上記レンズカバーの一表面を形成する部分カバーと、この部分カバーを背後から照らす発光量調整機構付きランプまたはパトランプとを備えていることを特徴とするものである。
【０００９】
また、遊技機の遊技状態に応じて点灯する表示装置がガラス枠に設けられていることを特徴とするものである。
【００１０】
このようにガラス枠がレンズとレンズカバーとから構成されることにより、ガラス枠が従来の内部レンズとして機能するようになり、従来の内部レンズは不要になる。
【００１１】
また、遊技機に見た目の一体感が出るようになり、さらに表示装置がガラス枠に設けられると、この見た目の一体感は一層高まる。
【００１２】
また、着色されたレンズの背後に設けられた光源が点灯すると、半透明色をしたレンズカバーはレンズの色に染まり、今までにない光の演出が行われる。
【００１３】
また、レンズカバーの内側面に沿って形成された各窓の背後において、光源が様々なパターンで発光することにより、遊技盤は様々なパターンの光によって演出される。
【００１４】
また、発光量調整機構付きランプが点灯すると、部分カバーは徐々に背後から照らし出される。また、パトランプが点灯すると、部分カバーは回転光によって背後から映し出される。
【００１５】
【発明の実施の形態】
次に、本発明による弾球遊技機をパチンコ機に適用した一実施形態について説明する。
【００１６】
図１は本実施形態によるパチンコ機２１の外観を示す斜視図である。このパチンコ機２１は木枠２２に取り付けられており、正面上部にはガラス枠２３が構成されている。このガラス枠２３の中央にはガラス２４があり、このガラス２４の背後には遊技盤がある。また、正面下部には、入賞に応じて遊技者に払い出される遊技球を貯留する上皿２５および下皿２６があり、下皿２６の右方にはハンドル２７が設けられている。
【００１７】
ガラス枠２３は、ガラス２４を遊技盤の前面に支持するものであり、図２（ａ）の斜視図に示す中央部が開口したレンズカバー２８と、同図（ｂ）の斜視図に示す中央部が開口したレンズ２９とから構成されている。レンズ２９は遊技盤の前面にあるガラス２４の周囲を囲み、レンズカバー２８はこのレンズ２９を覆う。
【００１８】
レンズ２９には、図の左から右側へ向け、赤色，青色および黄色が境目無く連続的に変化するグラデーションが配色されている。また、レンズカバー２８は半透明の乳白色をしており、内面にはレンズカットが施されている。レンズ２９のグラデーション配色は、レンズ２９を形成する透明樹脂内にグラデーション配色が印刷されたフィルムがインモールド成型されて得られる。つまり、レンズ２９が透明樹脂で射出成型されるとき、上記フィルムが透明樹脂内に挿入される。このレンズ２９にレンズカバー２８が被されると、レンズ２９のこのグラデーション配色は乳白色のレンズカバー２９に隠れる。
【００１９】
また、レンズカバー２８およびレンズ２９のそれぞれの上部には切り欠き２８ａ，２９ａが形成されている。これら各切り欠き２８ａ，２９ａには、図３（ｂ）に示すレンズホルダー３０に保持された同図（ａ）に示す上部レンズ３１が組み込まれる。これらレンズホルダー３０および上部レンズ３１は遊技状態等を表示する表示装置を構成するものであり、上部レンズ３１の内部には遊技盤に電気的に接続されたランプが内蔵される。レンズホルダー３０は樹脂表面にクロムメッキが施されており、上部レンズ３１は青色の半透明樹脂から形成されている。
【００２０】
また、レンズ２９の下部左右には口径の異なる複数の貫通孔２９ｂが左右対称に開口している。これら貫通孔２９ｂにはそれぞれ大きさの異なる半球面状レンズ３２が組み込まれ、これら半球面状レンズ３２のそれぞれの背後にはランプが内蔵される。レンズ２９にレンズカバー２８が被されると、各半球面状レンズ３２の頭部はレンズカバー２８の下部左右に対称に形成された開口部２８ｂに露出する。
【００２１】
開口部２８ｂには図３（ｃ）に示す下部ランプカバー３３が被され、反対側の開口部２８ｂにもこの下部ランプカバー３３に対称な形状をした下部ランプカバーが被される。下部ランプカバー３３には貫通孔２９ｂに対応する位置に複数の孔３３ａが開口している。これら各孔３３ａには各半球面状レンズ３２の頭部が露出する。
【００２２】
各半球面状レンズ３２は、レンズカバー２８の一表面をそれぞれ形成しており、レンズカバー２８の部分カバーを構成している。これら各半球面状レンズ３２の背後には発光量調整機構（ボリューム）付きランプやパトランプといった光源が内蔵される。これら光源も遊技盤の処理動作を制御する制御回路に電気的に接続されており、ＯＮ制御されると各半球面状レンズ３２を背後から照らす。
【００２３】
また、遊技盤の周囲に位置するレンズカバー２８の内側面に沿い、図２（ａ）に示す複数の窓２８ｃが形成されている。これら各窓２８ｃは赤色の半透明樹脂板によって塞がれており、各窓２８ｃの背後にはランプが備えられている。
【００２４】
また、レンズカバー２８およびレンズ２９の上部左右には対称にそれぞれ透音孔２８ｄ，２９ｃが横長に開口している。これら透音孔２８ｄ，２９ｃの背後のガラス枠２３には、遊技盤と電気的に接続されたスピーカが正面左右に内蔵されている。このダブル・スピーカからは遊技状態に応じた効果音が、遊技盤の制御回路の出力する指令に応じて出力される。
【００２５】
また、スピーカの替わりにファンを内蔵させることにより、遊技者の吐いたタバコの煙を透音孔２８ｄ，２９ｃを介して吸い込み、これを遊技機島に設けた排煙ダクトを通して室外に排出させることも出来る。
【００２６】
また、レンズカバー２８およびレンズ２９の右方中央には、ガラス枠２３をロックするための鍵穴２８ｅ，２９ｄがそれぞれ開口している。
【００２７】
また、図１に示すように操作ハンドル２７の下方にはアームレスト３４が設けられている。このアームレスト３４は棒状の樹脂材がＵの字状に成型されて形成されており、緑色をしている。遊技者がハンドル２７を操作する際、このアームレスト３４に手首や腕等の一部を置くことにより、手首や腕等にかかる疲労が軽減される。従って、長時間遊技をしても遊技者は疲れ難くなる。
【００２８】
また、このアームレスト３４は機器内方に向けて摺動自在に設けられており、アームレスト３４を機器内方に向けて押すと機器前面に突出したアームレスト３４は引っ込む。従って、アームレスト３４が必要でないとき、アームレスト３４を引っ込めることによって邪魔にならなくなる。
【００２９】
また、下皿２６は、パチンコ機２１の下方に開口した払出口３８から出る遊技球を貯留するものであり、図４に示すように、本体全部に設けられたスライド部３５と、皿底部に形成された球抜き穴３６とを備えて構成されている。スライド部３５は略Ｌ字状をしており、皿底部の周囲を囲む側壁の一部３５ａおよび皿底部の一部３５ｂを形成している。スライド部３５は機器外方つまり遊技者の手前側に向けて摺動自在に設けられている。
【００３０】
また、球抜き穴３６は通常皿底部の一部３５ｂによって図１に示すように覆われている。スライド部３５が遊技者の手前側に引っ張られ、スライド部３５が機器外方に摺動すると、球抜き穴３６は図４に示すように開口する。この際、スライド部３５は、一段落ち込んで球抜き穴３６が開口した皿底部の表面３７を摺動する。
【００３１】
このように下皿２６が上記のスライド部３５と球抜き穴３６とを備えて構成されることにより、下皿２６に貯留された遊技球は、ドル箱等に移す際、スライド部３５が遊技者の手前側に摺動されて球抜き穴３６から抜かれる。この際、スライド部３５はパチンコ機２１の手前側に突出するため、機器外方に摺動したこのスライド部３５は一見して遊技者に視認される。
【００３２】
従って、前の遊技客がスライド部３５をパチンコ機の手前側に引っ張ったままの状態で帰っても、次の遊技客は一見してこの状態を把握することが出来る。このため、次の遊技客は必ずスライド部３５を機器内方に摺動させ、皿底部の球抜き穴３６を閉じてから遊技を行う。よって、下皿２６の球抜き穴３６が開いたままの状態になっていることに気付かず、遊技者が上皿２５から下皿２６に遊技球を移し、開口した球抜き穴３６から遊技球がこぼれ出てしまう事態を防止することが出来る。
【００３３】
また、上皿２５の前部の遊技者に見やすい所には、貸出ボタン４１，返却ボタン４２および残額表示器４３からなるＣＲユニットが構成されている。貸出ボタン４１は青色の樹脂からなり、返却ボタン４２は赤色の樹脂からなる。これら各ボタン４１，４２は押圧操作されることによって信号を発生する。貸出ボタン４１が操作されると遊技球が上皿２５に貸し出され、返却ボタン４２が操作されるとカードが遊技者に返却される。残額表示器４３は半透明の紫色をした樹脂からなり、内部には大型の７セグメントＬＥＤ（発光ダイオード）が設けられている。この７セグメントＬＥＤの発する光は半透明樹脂を通して遊技者に視認され、カード残額の数字情報が遊技者に伝えられる。
【００３４】
図１において、乳白色をしたガラス枠２３の下方における、斜め実線斜線のハッチング領域Ａは青色を表しており、実線格子のハッチング領域Ｂは赤色をしている。つまり、上皿２５および下皿２６の両端部は青色をしており、これらの正面部は赤色をしている。これら領域Ａと領域Ｂとの間には明瞭な境界がなく、領域Ａから領域Ｂへは青色から赤色へ連続的に変化しており、グラデーションになっている。
【００３５】
また、点線の斜線が付された半球面状レンズ３２ａは黄色をしており、実線格子が付された半球面状レンズ３２ｂは赤色、垂直実線が付された半球面状レンズ３２ｃは紫色、点線格子が付された半球面状レンズ３２ｄは緑色をしている。また、垂直実線が付されたスライド部３５は紫色、スライド部３５の前面に描かれた点線斜線が付された矢印は黄色をしている。また、実線格子が付された操作ハンドル２７の取っ手部および根元部は赤色、点線斜線が付されたこの取っ手部の頭部は黄色をしている。また、上皿２５の左方に設けられた点線格子が付された飾りカバー４４は緑色、上皿２５の右方に設けられた点線斜線が付された飾りカバー４５は黄色をしている。
【００３６】
また、下部ランプカバー３３は黒色や赤色に形成されたり、クロムメッキされたりする。下部ランプカバー３３のこの色は、パチンコ機２１を製造するメーカーに応じて所定色に換えられる。従って、下部ランプカバー３３の色を見ることにより、そのパチンコ機２１の製造メーカーを識別することが出来る。また、下部ランプカバー３３がこのような色に着色されると、乳白色をしたレンズカバー２８にデザイン的アクセントが与えられる。
【００３７】
このように本実施形態によるパチンコ機２１は、ガラス枠２３がレンズ２９とレンズカバー２８とから構成されることにより、ガラス枠２３が従来の内部レンズとして機能するようになり、従来の内部レンズは不要になる。従って、パチンコ機２１の構成が簡略化され、構成部品点が減少する。
【００３８】
また、従来のパチンコ機はガラスと内部レンズとが多層になって構成されていたため、見た目の一体感がなかった。しかし、本実施形態のように内部レンズがガラス枠２３に作り込まれることにより、パチンコ機２１の表面がフラッシュサーフェス化され、見た目の一体感が出るようになる。さらに表示装置を構成する上部レンズ３１がガラス枠２３に設けられると、この見た目の一体感は一層高まる。また、青色をした上部レンズ３１は乳白色をしたレンズカバー２８に映え、その存在感が強調される。
【００３９】
また、レンズ２９の色はレンズカバー２８に覆われて通常明瞭に認識されないが、レンズ２９の背後に設けられた光源、例えば円形状の蛍光灯が点灯すると、半透明色をしたレンズカバー２８はレンズ２９のグラデーション色に染まる。このような点灯により、今までにない光の演出が行われる。
【００４０】
また、レンズカバー２８の内側面に形成された各窓２８ｃの背後において、光源が様々なパターンで発光することにより、ガラス２４の背後にある遊技盤は様々なパターンの光によって演出される。例えば、各窓２８ｃの背後にある隣接する各光源が順次点灯されると、遊技盤の周囲を円状に光が走る。また、光源を同心円状に配置し、内側から外側の同心円に向けて各光源を点灯させると、遊技盤の周囲に光る輪が順次外側に広がる。また、各窓２８ｃの背後の光源により、遊技盤の盤面内に打ち込まれた遊技球に光を当て、遊技球の動く軌跡を見せることも出来る。
【００４１】
また、半球面状レンズ３２の背後に設けられたボリューム付きランプが点灯すると、各レンズ３２は背後から徐々に柔らかく照らし出される。また、半球面状レンズ３２の背後に設けたパトランプが点灯すると、各レンズ３２は回転光によって背後から映し出される。これらランプは大当たりといった遊技状態や、ドアオープン，球切れといった各状態に応じて点灯制御される。
【００４２】
上述したこのような光の演出により、パチンコ機２１の遊技の興趣は一層高められる。また、パチンコ機２１には今までの機械にない意匠的表現が施されているため、パチンコ機２１は既存の遊技客以外の新たな遊技客を誘引する。
【００４３】
【発明の効果】
以上説明したように本発明によれば、ガラス枠がレンズとレンズカバーとから構成されることにより、ガラス枠が従来の内部レンズとして機能するようになり、従来の内部レンズは不要になる。従って、遊技機の構成が簡略化され、構成部品点数が減少する。
【００４４】
また、遊技機に見た目の一体感が出るようになり、さらに表示装置がガラス枠に設けられると、この見た目の一体感は一層高まる。
【００４５】
また、着色されたレンズの背後に設けられた光源が点灯すると、半透明色をしたレンズカバーはレンズの色に染まり、今までにない光の演出が行われる。
【００４６】
また、レンズカバーの内側面に沿って形成された各窓の背後において、光源が様々なパターンで発光することにより、遊技盤は様々なパターンの光によって演出される。また、発光量調整機構付きランプが点灯すると、部分カバーは徐々に背後から照らし出される。また、パトランプが点灯すると、部分カバーは回転光によって背後から映し出される。
【００４７】
従って、様々な興趣を持つ光の演出が行われる弾球遊技機が提供される。
【図面の簡単な説明】
【図１】本発明の一実施形態によるパチンコ機を示す斜視図である。
【図２】図１に示すパチンコ機のガラス枠を構成するレンズカバーおよびレンズを示す斜視図である。
【図３】図１に示すパチンコ機の表示装置を構成する上部レンズ，レンズホルダーおよび図２に示すレンズカバーに組み込まれる下部ランプカバーを示す斜視図である。
【図４】図１に示すパチンコ機の下皿部を構成するスライド部が手前に引かれた状態を示す斜視図である。
【図５】従来のパチンコ機を示す斜視図である。
【符号の説明】
２１…パチンコ機
２３…ガラス枠
２４…ガラス
２５…上皿
２６…下皿
２７…ハンドル
２８…レンズカバー
２８ｃ…窓
２８ｄ，２９ｃ…透音孔
２９…レンズ
３０…レンズホルダー
３１…上部レンズ
３２…半球面状レンズ
３３…下部ランプカバー
３４…アームレスト
３５…スライド部
３６…球抜き穴
【図１】
0003863248.tif 000002
【図２】
0003863248.tif 000003
【図３】
0003863248.tif 000004
【図４】
0003863248.tif 000005
【図５】
0003863248.tif 000006